(57)【要約】      （修正有）【課題】顧客が定義した必要性レベルまたは動的な空間位置に関係する、報告、注意報、警戒、予報および警報を自動的、継続的に提供する。【解決手段】気象解析ユニット１２が、ユーザー・プロファイル、通信機位置データベース１６に記憶されている動的位置、固定位置および仕事割り当てを比較し、少なくとも一つの個別化された仕事割り当てのデータセットが生成され、従業員の通信機装置１１を介して従業員に送信される。また、通信機装置１１、指定された位置および関連付けられた所定の気象および環境センサーの識別情報を同定する複数のユーザー・プロファイルを受け取り、気象情報データベース２１ならびに前記所定の気象および環境センサーからのセンサー・データを解析して個別化された気象出力信号を生成し、前記気象および環境出力信号を前記ユーザー・プロファイルで同定されている通信機装置１１に送信する。【選択図】図１
2014056582.tif 000002
【特許請求の範囲】
【請求項１】
ユーザーのためのリアルタイムの気象および環境情報を生成する方法であって、ユーザー・データベースが複数のユーザー・プロファイルを記憶しており、該ユーザー・プロファイルのうち少なくとも二つのユーザー・プロファイルが通信機装置、指定された位置に関連付けられた所定の気象および環境センサーの指定された位置についての情報を含んでおり、当該方法は：  前記所定の気象および環境センサーのうち少なくとも一つのセンサーの空間範囲を決定する段階と；  解析手段によって、データベースに記憶された気象および環境データならびにあるユーザーについてのユーザー・プロファイルにおいて指定されている前記所定の気象および環境センサーから受領されるセンサー・データを解析して前記ユーザーのための気象および環境情報を生成する段階と；  送信手段によって、前記気象および環境情報を前記ユーザーについてのユーザー・プロファイルで指定されている通信機装置に送信する段階とを有する方法。
【請求項２】
前記空間範囲が、前記少なくとも一つの所定の気象および環境センサーによってモニタリングされるべき気象および環境情報の種類に基づいて決定される、請求項１記載の方法。
【請求項３】
前記空間範囲が、前記少なくとも一つの所定の気象および環境センサーのセンサー種別に基づいて決定される、請求項１記載の方法。
【請求項４】
前記空間範囲が、所定の気象および環境センサーの間の距離に基づいて決定される、請求項１記載の方法。
【請求項５】
前記ユーザー・プロファイルが、前記所定の気象および環境センサーによってモニタリングされるべき気象および環境情報の種類を示す情報を含む、請求項１ないし４のうちいずれか一項記載の方法。
【請求項６】
気象解析ユニットによって、道路または線路に沿ったさまざまな固定位置に取り付けられた気象および環境センサーから気象または環境条件情報を受け取る段階と；  前記気象解析ユニットによって、前記センサーから受け取られた前記気象または環境条件データを解析して、気象および環境情報を生成する段階と；  データベースに記憶されているユーザー・プロファイルに従って、前記センサーの位置の近傍に位置する一つまたは複数の通信機装置を判別する段階であって、各ユーザー・プロファイルは通信機装置についての情報を含む、段階と；  前記気象解析ユニットによって送信手段を介して、前記気象および環境情報を前記判別された一つまたは複数の通信機装置に送信する段階とを有する方法。
【請求項７】
前記気象および環境センサーがほぼ等間隔である、請求項６記載の方法。
【請求項８】
前記気象および環境センサーの少なくとも一つがビルボード、給油ポンプ、携帯電話通信のためのタワーまたは街灯を支持する構造に取り付けられている、請求項６または７記載の方法。
【請求項９】
前記気象および環境センサーの少なくとも一つが乗り物に取り付けられている、請求項６ないし８のうちいずれか一項記載の方法。
【請求項１０】
前記気象および環境センサーの少なくとも一つがビルボードに取り付けられている、請求項６ないし９のうちいずれか一項記載の方法。
【請求項１１】
前記気象および環境センサーの少なくとも一つがガソリンスタンドにおける給油ポンプに取り付けられている、請求項６ないし１０のうちいずれか一項記載の方法。
【請求項１２】
前記気象および環境センサーの少なくとも一つが携帯電話通信のためのタワーに取り付けられている、請求項６ないし１１のうちいずれか一項記載の方法。
【請求項１３】
気象解析ユニットによって、道路または線路に沿ったさまざまな位置に取り付けられた気象および環境センサーから気象または環境条件情報を受け取る段階であって、前記気象および環境センサーはほぼ等間隔である、段階と；  前記気象解析ユニットによって、前記センサーから受け取られた前記気象または環境条件データを解析して、気象および環境情報を生成する段階と；  データベースに記憶されているユーザー・プロファイルに従って、前記センサーの位置の近傍に位置する一つまたは複数の通信機装置を判別する段階であって、各ユーザー・プロファイルは通信機装置についての情報を含む、段階と；  前記気象解析ユニットによって送信手段を介して、前記気象および環境情報を前記判別された一つまたは複数の通信機装置に送信する段階とを有する方法。
【発明の詳細な説明】
【技術分野】
【０００１】
〈関連出願への相互参照〉
該当なし。
〈連邦政府による資金提供を受けた研究開発の記載〉
該当なし。
【背景技術】
【０００２】
近年、たとえば気象情報についての詳細情報の需要が著しく高まっている。パソコンおよび通信機器が、データを収集、操作、送信および受信するその力により、より多くの情報に対する需要を増大させた。結果として、特化した情報および付加価値のあるサービスに対する需要が大きい。エンドユーザーはもはや生のデータを収集、操作および評価することを望まない。たとえば、北米における気象サービスについて、この条件はどこよりも明白である。
【０００３】
ラジオやテレビの放送局は何年も前に、気象情報に対する視聴者からの増大し続ける需要を認識しており、そのため市場ランキングを上げる手段としてオンエアの気象セグメントの数を増やした。今日、気象情報の個別的な内容に対する需要は、放送局がこの需要を満足させる能力を超えている。実質的にビジネスおよび個人活動のあらゆる面が良きにつけ悪しきにつけ気象によって絶えず影響を受けるのである。
【０００４】
多くの国々と同様、米国でも政府機関（米国では国立気象サービス）が、一般大衆に対して気象プロダクトを生成する一義的な責任を有している。注意報、情報および予報といったプロダクトは、生成され、放送局、新聞社、インターネット・ウェブサイトなどの第三者に利用可能にされ、そうした第三者によって大衆に配信される。しかしながら、このデータ管理の連鎖は一方向である。
【０００５】
今日のライフスタイルはハイペースであり、洗練されている。個別的な用途のための詳細な気象情報に対する要望の数は、政府の処理能力を超えている。しかしながら、国立気象サービスは規定された責任に固執して、大衆消費のための一般的なプロダクトを一日に二回生成している。この条件は、一般的で古くなった助言情報を大衆が自分の必要に合うよう解釈することを強いる。しばしば誤った解釈がなされる。さらに悪いことに、こうしたプロダクトは通例、対象範囲が地域または全国であり、さまざまな地域的活動が進行中の特定の地点にはあてはまらないこともある。
【０００６】
例として、気象警報は米国中のラジオ局によって放送される。そうした警報は、ある種の気象の影響を特定のエリア内に同定する。たいていの場合、警報エリアは一または複数の郡を含み、数十ないし数百平方マイルをカバーする。最もよくあるのは、そうした脅威（激しい雷雨、竜巻などのような）は警報エリア内の非常に小さなゾーンにしか影響しない。そうした脅威は移動も速い。全警報エリア内において、影響が特定のゾーンに近づくとき、実は他のゾーンからは離れつつある。本質的に、既存の報告システムは個人的なリスクを個別的に同定して十分に警告するには不十分である。さらに、脅威が切迫している場合、既存のシステムは、脅威の近くまたはその地点にいる各ユーザーのために予防的な措置を提供しないし、できもしない。こうして、欠如のため、遠方のユーザーや影響のないユーザーが、脅威がその地点から遠ざかっているかもしれないときに、無用に「警戒態勢」を取らされる。
【０００７】
もう一つの卑近な例が問題を明確にする。次の週末にソフトボールの決勝戦を見に行こうとわくわくしている家族が地元の天気予報を丹念に見守っている。１週間ずっと、試合の日についての予報は晴れところにより曇りと助言していた。試合当日の早朝、予報はところにより曇り、午後遅くににわか雨の確率30%と変わる。家族は、降水確率が自分たちが感じるリスクレベルより低いと信じて試合を見に行くことに決める。正午に、その家族の知らないところで、ところどころのにわか雨が強まっており、試合場に危険な雷を落としそうになる。朝の天気予報は完全に不正確ではなかったものの、選手と観客はリスクにさらされる。あとで聞かれても、家族は天気予報を聞かなかったか思い出せないことはありそうである。自分たちの天気についての限られた知識を、自分たちの必要性およびリスク曝露に結び付けはしなかった。変わりつつある気象事象を見守らなかった。もっともありそうなのは、試合中、発達しつつあるリスクを見守ることはできなかった。明らかに、これらの人々は、古くなった限られた情報を自分の個別的な用途に適用されるものとして解釈することを強いられたのである。
【発明の概要】
【発明が解決しようとする課題】
【０００８】
したがって、顧客が定義した必要性レベルまたは動的な空間位置に関係する、顧客によりカスタマイズされた報告、注意報、警戒、予報および警報を自動的、継続的に提供するシステムが必要とされている。本発明はそのようなシステムを指向する。
【課題を解決するための手段】
【０００９】
本発明は、個別化された情報を送達する対話的な助言システムおよび方法を提供する。より具体的には、本発明は、個別化された出力信号を遠隔の通信機装置に選択的に送信するための放送ネットワークに関する。放送ネットワークは、ユーザー入力データベース、通信機位置データベース、解析ユニットおよび通信ネットワークを含む。
【００１０】
ユーザー入力データベースはユーザー定義パラメータを含んでおり、該ユーザー定義パラメータのそれぞれは望ましくは空間範囲識別子およびユーザー・プロファイルを含む。ユーザー定義パラメータのそれぞれの中のユーザー・プロファイルは、少なくとも特定のユーザーに関連付けられた通信機装置を識別する。通信機位置データベースは、通信機装置の空間位置を示すリアルタイム・データを含んでいる。本発明のある好ましいバージョンでは、通信機位置データベースは、通信機装置によって自動的におよび／または継続的に更新される。
【００１１】
情報データベースが含んでいるデータは、少なくとも通信機位置データベースに含まれる空間位置についてのリアルタイム気象データのようなものである。「データ」の用語は、幅広く多様なプロダクトを記述するもので、これに限られないが、過去または現在の気象事象の条件、テキスト・プロダクト、グラフィック・プロダクトなどが含まれる。解析ユニットはこのリアルタイム・データを情報データベースから受け取り、ユーザー定義パラメータに含まれる空間範囲識別子および通信機位置データベースに含まれる対応する通信機装置の空間位置を、前記リアルタイム・データと自動的および継続的に比較し、ユーザーの需要に際して、あるいは継続的にでもよいが、個別化された出力信号を生成する。個別化された出力信号とはたとえば、ユーザー定義パラメータについての空間範囲識別子によって同定される空間範囲内の気象情報などである。通信機位置データベースによって新たな位置が定義されると、情報データベースは自動的にリアルタイムで更新される。
【００１２】
通信ネットワークは、それぞれの個別化された出力信号を、リアルタイム・データおよび事象予測に対応する、ユーザー定義パラメータに含まれるユーザー・プロファイルで定義されている特定の通信機装置に、送信する。よって、ユーザーは、ユーザーの位置が時間を通じて固定か動的かに関わりなく、ユーザーの直近の空間位置に特定的なリアルタイム情報を受け取ることができる。
本発明の他の利点および特徴は、以下の詳細な説明を添付の図面および付属の請求項に照らして読めば当業者には明らかとなるであろう。
【図面の簡単な説明】
【００１３】
【図１】本発明に基づいて構築された対話的気象助言システムのブロック図である。
【図２】本発明の諸バージョンによって利用される空間位置識別子および空間範囲識別子を示す座標系の図である。
【図３】本発明に基づいて構築された対話的助言システムのブロック図である。
【図４】本発明に基づいて構築された対話的気象助言システムのブロック図である。
【発明を実施するための形態】
【００１４】
ここで図面、より詳細には図１を参照すると、ブロック図の形で、本発明の一つの実施形態が、本発明に基づいて構築された対話的気象助言システムの形で示されている。気象助言システム８は、個別化された気象出力信号を遠隔の通信機装置１１に選択的に送信するための放送ネットワーク１０を具備する。放送ネットワーク１０は、気象解析ユニット１２、ユーザー入力データベース１４、通信機位置データベース１６および通信ネットワーク２０を含む。気象解析ユニット１２は、気象情報データベース２１からリアルタイムの気象データを受け取る。気象情報データベース２１は放送ネットワーク１０にあってもよいし、あるいは放送ネットワーク１０からは遠隔に位置していてもよい。気象解析ユニット１２、ユーザー入力データベース１４、通信機位置データベース１６、気象情報データベース２１および通信ネットワーク２０は信号路２２、２４、２６、２８、３０および３２を介して相互に関係し、通信する。
【００１５】
ユーザー入力データベース１４は、各個人ユーザーに個別化された気象報告、助言または事象予測を送信できるよう、複数のユーザーが気象報告、助言または予報に対応するデータを入力できるようにする。ユーザー入力データベース１４は、複数のユーザーのそれぞれに関連付けられた少なくとも一つのユーザー定義パラメータを表すデータを含んでいる。本発明のあるバージョンでは、ユーザー定義パラメータのそれぞれは、気象出力信号に関係するさまざまな情報を含む。その情報は、空間範囲識別子、ユーザー・プロファイル、特定の気象パターンを同定するための一つまたは複数の気象内容識別子、ユーザーが気象プロダクトを所望しうる特定の時間または時間範囲を同定するための一つまたは複数の時間識別子、空間位置固定または動的コードならびに該空間位置固定または動的コードが空間位置が固定であるべきことを示す場合にユーザーにとって関心のある特定の空間位置を同定する空間位置識別子といったものである。ユーザー定義パラメータのそれぞれの中のユーザー・プロファイルは、特定のユーザーに関連付けられた特定の通信機装置１１を識別するための少なくともユーザー識別子コードを含む。
【００１６】
たとえば、ユーザー識別子コードは、今の例ではたとえば携帯電話またはポケットベルである通信機装置１１の一つを識別する携帯電話番号であってもよい。気象内容識別子は、気象条件または事象の一つまたは多様なものを同定するコンピュータ・コードであってもよく、該気象条件または事象はたとえば、竜巻、雷鳴雨、降雹、雷雨、にわか雨、吹雪、ブリザード、暴風、高層風、気圧の急上昇もしくは急降下またはその他のそのような気象パターンまたは条件といったものである。時間識別子は望ましくは、ユーザーが対話的気象助言システム８に気象データを該ユーザーに通信してほしい、あるいは特定の時間および／または日付についてのリアルタイム気象データをモニタリングするための、特定の時刻、諸時刻または時間範囲を同定するためのコンピュータ・コードであってもよい。空間位置識別子２６は、ある特定の所定の空間位置を同定するコンピュータ・コードであってもよく、限定ではなくあくまでも例として、世界の任意の地点の経緯度、町、郡、郡区、住所、郵便番号、標高およびそれらの組み合わせといったものである。
【００１７】
上で論じたように、空間位置識別子は、世界の任意の地点の特定の空間位置および／または海抜標高を同定する。空間範囲識別子は、前記空間位置識別子を取り巻く特定の空間範囲を同定する。各ユーザーは空間位置識別子および空間範囲識別子を選択でき、それにより空間位置識別子によって同定される空間位置についての、および空間範囲識別子によって同定される空間範囲内での天気予報および／または気象助言または他の任意の気象情報を受け取れる。
【００１８】
たとえば、図２を参照すると、座標系が示されており、本発明の種々のユーザーによって選択された４つの空間位置識別子と４つの空間範囲識別子が描かれている。すなわち、あるユーザーは空間位置識別子（X1,Y1,Z1）および空間範囲識別子（R1）を選択している。ある別のユーザーは空間位置識別子（X2,Y2,Z2）および空間範囲識別子（R2）を選択している。
【００１９】
空間位置識別子（X1,Y1,Z1）および空間範囲識別子R1を選択したユーザーは、自分のユーザー入力データベースであらかじめ定義された空間位置識別子（X1,Y1,Z1）および空間範囲識別子R1によって同定される空間範囲に関する気象プロダクトおよび助言を受け取る。空間位置識別子（X2,Y2,Z2）および空間範囲識別子R2を選択したユーザーは、ユーザー入力データベース１４であらかじめ定義された空間位置識別子（X2,Y2,Z2）および空間範囲識別子R2によって同定される空間範囲に関する気象プロダクトおよび助言を受け取る。同様に、空間位置識別子（X3,Y3,Z3）と（X4,Y4,Z4）および空間範囲識別子R3とR4を選択したユーザーは、ユーザー入力データベース１４であらかじめ定義された空間位置識別子（X3,Y3,Z3）（X4,Y4,Z4）および空間範囲識別子R3,R4によって同定される空間範囲に関する気象プロダクトおよび助言を受け取る。
【００２０】
空間範囲識別子R1,R2,R3およびR4の大きさは異なっていても、同じであってもよい。さらに、空間範囲識別子R1,R2,R3およびR4の大きさは幅広い変化があってもよく、望ましくはユーザーによって選択される。
【００２１】
個々のユーザーは、ユーザー定義パラメータをユーザー入力データベース１４に任意の好適な方法を介して入力できる。たとえば、ユーザー入力データベース１４は、多様な任意的なソースのうち好ましくはユーザーが選んだものから、そのデータを取得するよう構成されることが望ましい。ソースはたとえば、電話顧客サービス・ネットワークを通じた口頭、ワイヤレス・アプリケーション・プロトコル（wireless  application  protocol）技術をもつ移動電話ネットワーク、電子メール、携帯情報端末、ラップトップ・コンピュータまたは対話的ウェブサイトといったものである。さらに、ユーザーはユーザー定義パラメータを放送ネットワーク１０にメールで送る（mail）こともでき、放送ネットワーク１０にいる個人がユーザー定義パラメータを直接ユーザー入力データベース１４にキーボードまたはその他の同様の入力装置を介して入力することもできる。ある実施形態では、ユーザーは、選択された情報をユーザー入力データベース１４にユーザーの通信機装置１１を介して入力する。
【００２２】
気象情報データベース２１は、少なくとも通信機位置データベース１６に含まれる空間位置およびユーザー入力データベース１４内の空間位置識別子によって同定される空間位置についてのリアルタイム気象データを含む。気象解析ユニット１２は、そのリアルタイム気象データに基づいてあらゆる気象事象の予測を生成する。気象情報データベース２１はそのリアルタイム気象データを、望ましくは、複数の可能なリソースのうち少なくとも一つから受け取る。リソースとは、限定ではなくあくまでも例として、政府気象情報リソース、民営の気象情報リソースおよびその他のさまざまな気象リソースといったものである。リアルタイム気象データはまた、気象情報データベース２１の物理的位置で直接入力されたり、あるいは携帯電話ネットワーク、ワイヤレス・アプリケーション・プロトコルのある携帯電話ネットワーク、インターネット、航空機通信システム、電子メール、携帯情報端末、ラップトップ・コンピュータ、通常のコンピュータまたはその他の無線装置を介して入力されたりしてもよい。
【００２３】
通信機位置データベース１６は本発明の任意的な特徴であり、ユーザーがユーザーの通信機装置１１の動的な空間位置におけるリアルタイムの気象注意報または事象予測を要求するとき、信号路２２を介して有効にされる。通信機位置データベース１６は、該通信機位置データベース１６が通信機装置１１の空間位置を示すリアルタイム・データを含むよう、継続的に更新される。ある実施形態では、ユーザー・プロファイル内のユーザー識別子コードが信号路２２を介して通信機位置データベース１６に送信される。通信機位置データベース１６は望ましくは、ユーザー識別子コードによって同定される通信機装置１１から、多様な可能なリソースのうちの少なくとも一つを介してデータを受け取る。リソースとは、たとえば携帯電話ネットワーク、ワイヤレス・アプリケーション・プロトコル技術を備えた携帯電話ネットワーク、全地球測位衛星技術、インターネット、ロラン（loran）技術、レーダー技術、トランスポンダ技術または通信機装置１１の空間位置を追跡して該通信機装置１１の位置を放送ネットワーク１０の通信機位置データベース１６に通信する機能をもつ他の任意の種類の技術といったものである。好ましくは、通信機位置データベース１６は、通信機装置１１のそれぞれの位置に関して、たとえばワイヤレス・アプリケーション・プロトコル技術により継続的および自動的に更新される。
【００２４】
通信ネットワーク２０は、限定ではなくあくまでも例として、携帯電話ネットワーク、ワイヤレス・アプリケーション・プロトコル技術のある携帯電話ネットワーク、インターネット、ファクシミリ・ネットワーク、衛星ネットワーク（一方向または双方向）、RF電波ネットワーク、あるいはソースからエンドユーザーに情報を送信するその他任意の手段でありうる。
【００２５】
通信機装置１１は双方向または単方向の通信機装置でありうる。通信機装置１１は、限定ではなくあくまでも例として、携帯電話、スマートフォン、ポケットベル、ラップトップ・コンピュータもしくは携帯情報端末または気象情報データを受信する機能のある他の任意の電子装置といった可搬型装置であることができる。さらに、通信機装置１１は、たとえばヘルメット、自動車または航空機といった、ユーザーが利用するまたはアクセスできる物体に組み込まれることができる。図１には通信機装置１１は三つしか表現されていないが、対話的気象助言システム８は多数の通信機装置１１の利用を考えている。
【００２６】
気象解析ユニット１２はユーザー入力データベース１４、通信機位置データベース１６および気象情報データベース２１内のデータを信号路２４、２６および２８から受け取る。気象解析ユニット１２は、限定ではなくあくまでも例として、ユーザー入力データベース１４、通信機位置データベース１６および気象情報データベース２１内のデータを自動的および継続的に比較し、それによりユーザー入力データベース１４内の各ユーザー定義パラメータについて空間範囲識別子によって同定される空間範囲内の気象情報を含む個別化された気象出力信号を生成するよう望ましくはプログラムされたコンピュータであることができる。気象出力信号は通信ネットワーク２０に信号路３２を介して送信される。
【００２７】
気象解析ユニット１２は気象情報データベース２１からリアルタイムの気象データを集める。ここでの用法では、「リアルタイム気象データ」の用語は、現在またはほぼ現在の情報を示すよう絶えず更新されている気象データのことをいう。いくつかの事例では、「リアルタイム気象データ」は、たとえば５分、１５分または３０分という比較的短いきざみだけ遅らされてもよい。別の事例では、「リアルタイム気象データ」は、実質的に遅延なしに提供されることができる。通信ネットワークおよび気象関連技術が高速化するにつれ、このきざみは短くなることが期待される。
【００２８】
気象解析ユニット１２は、あらゆる気象関係事象の予測を生成し、気象情報データベース２１に含まれる過去と現在の事象を比較して（将来の位置、強さ、軌跡などのような）、四次元データベースを構築する。該データベースの３つの次元は地球の表面上または上空の物理的な位置を定義する（空間位置識別子(X1,Y1,Z1)）。第４の次元は時間――過去、現在または未来――である（T1,T2,T3,T4として同定される）。高速コンピュータ・プロセッサをリアルタイムで用いることにより、気象解析ユニット１２は特定の位置（X1,Y1,Z1,T1）におけるあらゆる事象（過去、現在および予測）を、同一のユーザー供給データ（ユーザー入力データベース――X1,Y1,Z1,R1,T1）と比較し、一致があれば該一致（気象出力信号）を、通信ネットワーク２０および通信装置１１を通じてユーザーに対して同定する。
【００２９】
通信ネットワーク２０は、気象出力信号およびユーザー識別コードを、信号路３２および３０を介して受信する。それに応答して、通信ネットワーク２０は個別化された気象出力信号を、前記ユーザー識別コードと関連付けられた通信機装置１１に、信号路３４ａ、３４ｂおよび３４ｃを介して送信する。それにより各ユーザーは要求された個別化された気象情報を受信する。
【００３０】
信号路３４ａ、３４ｂおよび３４ｃは、電子的通信を可能にする任意の好適な通信リンクのことである。たとえば、信号路３４ａ、３４ｂおよび３４ｃはポイント・ツー・ポイントの共有および専用の通信、赤外線リンク、マイクロ波リンク、電話リンク、ＣＡＴＶリンク、衛星およびラジオ・リンクおよび光ファイバー・リンクであることができる。
【００３１】
ユーザーに選択された個別的な気象情報を提供するために、気象情報のさまざまな組み合わせがユーザー入力データベース１４に組み込まれることができる。たとえば、自動車で移動するユーザーは、起点から目的地まで移動する際、自分の車から半径2.5マイル以内の領域についてのあらゆる降雹に関する通知を対話的気象助言システム８から受けたいことがありうる。そのユーザーはたとえば、ワイヤレス・アプリケーション・プロトコルをもつ携帯電話ネットワーク（通信ネットワーク２０）と協働する車の中の自分のスマートフォン（通信機装置１１）を使って、選択された情報を、ユーザー入力データベース１４に入力する。すなわち、ユーザーのスマートフォン番号（ユーザー識別子コード）、雹（気象内容識別子）、2.5マイルの半径（空間範囲識別子２４）および空間位置動的（この場合、ユーザーのスマートフォンの空間位置が自動的および継続的にモニタリングされる）などである。
【００３２】
次いで、対話的気象助言システム８は、気象解析ユニット１２内の気象情報および事象予測をモニタリングし、前記自動車の移動経路に沿って移動の継続時間の間に前記自動車から半径2.5マイル以内に降雹が検出されるかきわめて起こりそうな場合に、前記ユーザーのスマートフォンに個別化された気象出力信号を送信する。
【００３３】
個別化された気象出力信号は、オーディオおよび／またはビデオのデータ信号であることができる。たとえば、個別化された気象出力信号は.WAVファイルまたは個別化されたメッセージをユーザーに対して語る本物または架空の個人のアニメーション表示を含むその他の好適なファイルであることができる。上に挙げた例では、個別化されたメッセージは、車の前方2.5マイルに降雹があり、よってユーザーは降雹を回避するために短時間停車することを検討すべきであるというものでありうる。あるいはまた、個別化されたメッセージは、車の前方2.5マイルに降雹があり、よってユーザーは降雹を回避するために別の個別化された気象出力信号によってさらなる通知があるまで停車することを検討すべきであるというものであってもよい。つまり、気象解析ユニット１２は、通信ネットワーク２０を介してユーザーにもう一つの個別化された気象出力信号を送信してもよい。通信機装置１１が、気象内容識別子によって同定された気象条件が空間範囲識別子によって同定された空間位置を過ぎた、または超えているとユーザーに通知するのである。
【００３４】
もう一つの例として、ユーザーは、特定の動的空間位置から特定の空間範囲内にあるあらゆるリアルタイムの気象データおよび事象予測の通知を受けたいことがありうる。たとえば、ユーザーは、自分がオクラホマ州のオクラホマシティからタルサまで飛ぶ間、自分の飛行機が着氷（icing）の危険があるかどうかに関心があることがある。好適なレベルの快適および安全を提供するため、ユーザーは、自分の飛行機の動的空間位置の10マイル以内の着氷条件について通知を受けたいことがありうる。ユーザーはたとえば、機内でワイヤレス・アプリケーション・プロトコルのある携帯電話ネットワーク（通信ネットワーク２０）と協働する自分のスマートフォンまたはその他の好適な航空電子工学装置（通信機装置１１）を通じて、選択された情報をユーザー入力データベース１４に入力する。すなわち、ユーザーのスマートフォン番号（ユーザー識別子コード）、着氷（気象内容識別子）、10マイルの半径（空間範囲識別子２４）および空間位置動的である。次いで、ユーザーのスマートフォンまたはその他の好適な航空電子光学装置の空間位置は時間および空間を通じて、(X1,Y1,Z1,T1)から(X4,Y4,Z4,T4)まで飛行機が移動するにつれ、自動的および継続的にモニタリングされる。次いで、対話的気象解析システム１２は気象情報データベース２１内のリアルタイムの気象データおよび気象解析ユニット１２内の予測された事象をモニタリングし、当該飛行機から10マイルの半径に対して着氷が検出されるか、きわめて形成されそうであるかどうかを同定する個別化された気象出力信号をユーザーのスマートフォンまたはその他の航空電子光学装置に送信する。
【００３５】
さらにもう一つの例としては、おそらくユーザーは、通信機装置１１の直近の位置に関わりなく、ある特定の固定した空間位置におけるある特定の空間範囲内の個別的な気象パターンにのみ関心がある。このユーザーの要求を満たすためには、放送ネットワーク１０は通信機位置データベース１６を利用しない。ユーザーは、選択された情報をユーザー入力データベース１４に入力する。すなわち、ユーザーの電話番号（ユーザー識別子コード）、ユーザーが関心のある特定の気象パターンについてのコード（気象内容識別子）、特定の空間位置のまわりでユーザーが関心のある空間範囲（空間範囲識別子）ならびにユーザーが関心のある空間位置（空間位置識別子）である。次いで、気象解析ユニット１２は、気象情報データベース２１内のリアルタイムの気象データおよび気象解析ユニット１２内の予測された事象をモニタリングし、ユーザーが要求した空間位置および範囲の気象パターンに関する個別化された気象情報を送信する。
【００３６】
さらなる例として、おそらくはユーザーは、ある特定の時刻におけるある特定の固定した空間位置におけるある特定の空間範囲内の個別的な気象条件にのみ関心がある。ユーザーは、選択された情報をユーザー入力データベース１４に入力する。すなわち、ユーザーの電話番号（ユーザー識別子コード）、ユーザーが関心のある特定の気象パターンについてのコード（気象内容識別子）、前記空間位置のまわりでユーザーが関心のある空間範囲（空間範囲識別子）、ユーザーが関心のある空間位置（空間位置識別子）ならびに前記関心のある空間位置においてユーザーが気象条件を通知されたい日時（時間識別子）である。それに応答して、気象解析ユニット１２は、空間範囲識別子および空間位置識別子によって同定された空間位置および空間範囲について気象情報データベース２１からのリアルタイムの気象データをモニタリングし、時間識別子によって同定された時間に生起する個別気象パターンの確率を決定する。気象解析ユニット１２は、信号路３２を介して、通信ネットワーク２０に個別化された気象出力信号を送る。通信ネットワーク２０は、ユーザー識別子コードを信号路３０を通じてユーザー入力データベース１４から受け取り、気象解析ユニット１２から受け取った気象出力信号をユーザー識別子コードによって同定される特定の通信機装置１１に送信する。こうして、ユーザーは、ユーザーが要求した空間位置、空間範囲および時間に関する個別化された気象情報を受け取る。
【００３７】
信号路２２、２４、２６、２８、３０および３２は、本発明を実装するために利用されるさまざまなソフトウェアおよび／またはハードウェアの間の論理的および／または物理的リンクであることができる。信号路２２、２４、２６、２８、３０および３２のそれぞれがここで別個に図示され、説明されているのは、本発明の個々の構成要素の間で通信される情報および論理を明確に説明するという目的のためだけであることは理解しておくべきである。運用の際には、信号路は別個の信号路ではなく、単一の信号路であってもよい。さらに、さまざまな情報は、必ずしも、図１に示した仕方で本発明の構成要素間を流れる必要はない。たとえば、図１は、ユーザー識別子コードがユーザー入力データベース１４から通信ネットワーク２０に信号路３０を介して直接送信されることを示しているが、ユーザー識別子コードは信号路２４を介して気象解析ユニット１２に通信され、次いで信号路３２を介して通信ネットワーク２０に通信されることもできる。
【００３８】
ユーザーはユーザー識別子コードをユーザー入力データベース１４に通信機装置１１によって手動手入力しているとして記述してきたが、ユーザー識別子コードは通信機装置１１によってユーザー入力データベース１４に自動的に入力されてもよいことは理解しておくべきである。
【００３９】
ひとたびユーザー定義パラメータがユーザー入力データベース１４に入力されると、ユーザー定義パラメータは、気象内容識別子とともに、気象解析ユニット１２によって、標的を絞ったマーケティングの目的のために解析されることができる。複数の販売者３６は複数の信号路３８ａ、３８ｂおよび３８ｃを介して放送ネットワーク１０の気象解析ユニット１２へのアクセスを提供されることができる。販売者３６は、販売者３６に有用な情報のデータセットを集成するために、独立して気象解析ユニット１２に検索情報を入力できる。
【００４０】
たとえば、噴射式除雪機販売業の個別販売者３６ａは、米国内で翌週少なくとも10インチの雪が見込まれるあらゆる空間位置のリストを要求するため、気象解析ユニット１２に気象内容識別子および時間識別子を入力しうる。すると気象解析ユニット１２は、気象少なくとも一つの気象内容識別子、時間識別子および情報データベース２１に保存されたリアルタイム気象データに基づいて、米国内で翌週少なくとも10インチの雪が見込まれるあらゆる空間位置のデータセットを集成する。次いでそのデータセットが販売者３６ａに出力される。そのデータセットに基づいて、販売者３６ａは、データセット中で同定された領域に、広告または追加的な噴射式除雪機を送ることができる。
【００４１】
もう一つの例として、噴射式除雪機販売業の個別販売者３６ａは、米国内で翌週少なくとも10インチの雪が見込まれる空間位置に住んでいるユーザーを同定するあらゆるユーザー・プロファイルのリストを要求するため、気象解析ユニット１２に気象内容識別子および時間識別子を入力しうる。すると気象解析ユニット１２は、少なくとも一つの気象内容識別子、時間識別子、ユーザー・プロファイルおよび気象情報データベース２１に保存されたリアルタイム気象データに基づいて、米国内で翌週少なくとも10インチの雪が見込まれるあらゆる空間位置のデータセットを集成する。次いでそのデータセットが販売者３６ａに出力される。そのデータセットに基づいて、販売者３６ａは、データセット中で同定されたユーザーに広告を送ることができる。
【００４２】
放送ネットワーク１０によって提供されるサービスにユーザーが申し込むことが構想されている。これに関し、放送ネットワーク１０はユーザーにサービス料を課しても課さなくてもよい。さらに、放送ネットワーク１０はある料金でいくつかのサービスを提供し、追加的なサービスは高められた料金で提供してもよい。
【００４３】
処理能力を節約するため、気象解析ユニット１２は、どの通信機装置１１がオフまたは圏外であるかを定期的に判別してもよい。ひとたびこの判別がされれば、気象解析ユニット１２はオフまたは圏外の通信機装置１１については個別化された気象出力信号を生成しない。ひとたび通信機装置１１のうち特定のものがオンにされ、圏内にはいってくれば、気象解析ユニット１２はそのような通信機装置１１のための個別化された気象出力信号を生成する試みをする。換言すれば、処理能力を節約するため、気象解析ユニット１２は、アクティブで圏内にある通信機装置１１のためにのみ個別化された気象出力信号を生成しうる。
【００４４】
気象解析ユニット１２は放送ネットワーク１０のところに位置することができる。あるいはまた、気象解析ユニット１２は放送ネットワーク１０の残りからは別個であり、放送ネットワーク１０へのサービスとして提供されることもできる。
【００４５】
ある好ましい実施形態では、ユーザー入力データベース１４にユーザー定義パラメータを提供するのではなく、あるいはそれに加えて、ユーザー入力データベース１４が複数の事前定義されたユーザー・プロファイルを提供するようプログラムされていてもよい。事前定義されたユーザー・プロファイルのそれぞれはユーザーによって指定される活動に向けられており、任意的に該活動の日時を含む。該活動は、業務上の必要性、個人的な必要性または娯楽上の必要性であることができる。たとえば、業務上の必要性は、所望の活動を実行するために気象条件に依存するまたは気象条件によって影響される任意の作業であることができる。これに限られないが、牧場主、建築業者、農場主または画家などである。個人的な必要性は、気象条件によってプラスまたはマイナスの影響を受ける任意の活動であることができる。これに限られないが、芝刈り、家のペンキ塗り、植木の剪定などといった自宅所有者が実行する務めなどである。娯楽上の必要性は、気象条件に依存する任意の娯楽活動またはその他の戸外活動であることができる。これに限らないが、ゴルフ、サイクリング、ボート、ハイキング、釣りまたは雪のスキーなどである。
【００４６】
この場合、ユーザーは、ユーザー入力データベース１４に対して、活動またはカテゴリーを選択または提供する。ユーザー入力データベース１４は、そのような活動またはカテゴリーに関する事前定義された情報を取得し、そのような事前定義された情報をユーザーのユーザー・プロファイルと保存またはリンクする。すると放送ネットワーク１０および／または気象解析ユニット１２は上記のように機能し、ユーザーのユーザー・プロファイルに含まれている情報に関する気象注意またはその他の情報を提供する。
【００４７】
たとえば、ユーザーはある特定の週末に午前9:00から午後4:00の時間にゴルフをする計画を立てることがありうる。この場合、ユーザーは「ゴルフ」のための事前定義されたユーザー・プロファイルおよびそのような計画された活動の時間枠を選択する。計画された活動の位置もユーザー入力データベース１４に入力されることができる。あるいは、通信機装置１１の位置が通信機位置データベース１６によってモニタリングされることもできる。事前定義されたユーザー・プロファイルに含まれる情報はユーザー入力データベース１４に入力され、次いで出力気象注意および予報が上で論じたように生成される。
【００４８】
事前定義されたユーザー・プロファイルは、放送ネットワーク１０のメンバー（単数または複数）および／または気象解析ユニット１２によって決定され、指定された各活動にとって典型的には好適および／または不利な気象条件を同定する。よって、たとえば、「ゴルフ」のための事前定義されたユーザー・プロファイルは、ゴルフ活動にプラスまたはマイナスの影響を与える風の条件、雷、雨、気温およびその他の条件といったデータを含むことになる。事前定義されたユーザー・プロファイル内のデータが決定されるのは、ユーザーによるその活動の選択の前と後のどちらでもよい。
【００４９】
ユーザーが望むなら、放送ネットワーク１０および／または気象解析ユニット１２は、空間範囲識別子の適切な大きさを生成する役割を負ってもよい（ユーザー・プロファイルまたは事前定義されたユーザー・プロファイルの場合と同様）。代替的には、空間範囲識別子は気象事象の性質によって決定されることもできる。後者の場合、放送ネットワーク１０のメンバー（単数または複数）および／または気象解析ユニット１２が起こるであろうまたは起こりうる各気象事象のまわりの「関心領域（area  of  concern）」を決定し、その関心領域との接触に至るかもしれない任意のユーザーまたは通信機装置１１に対して通信ネットワーク２０が通知を送る。
【００５０】
たとえば、竜巻は幅0.5マイルであることがあり、放送ネットワーク１０および／または気象解析ユニット１２は、その経験、知識および／または能力に基づいて、関心領域は幅1.5マイルで長さ8マイルで、北東に進んでいると決定する。ユーザー入力データベース１４内に含まれる任意のユーザーは、ユーザーの位置が「関心領域」との接触に至ったら、上で論じたように通知される。
【実施例１】
【００５１】
図３〜図４は、他の種類の情報を送達するために、あるいは気象関係事象をより正確に予測するために使うことのできる助言システム８ａおよび８ｂを示している。助言システム８ａおよび８ｂは、構成および機能において、後述の点を除いて気象助言システム８と同様である。明確のため、同様の構成要素には同じ数字プレフィックスと異なる英字サフィックスを与えた。
【００５２】
助言システム８ａには放送ネットワーク１０ａが設けられている。ある実施形態では、放送ネットワーク１０ａは、たとえば雇用主から従業員に、個別化されたリアルタイムの仕事割り当てを送信するために使われる。放送ネットワーク１０ａは解析ユニット１２ａ、通信機位置データベース１６ａおよび通信機装置１１ａおよび１１ｂを設けられている。通信機装置１１ａはここでは「雇用主通信機装置」と称され、通信機装置１１ｂはここでは「従業員通信機装置」と称される。通信機位置データベース１６ａは、通信機装置１１ａおよび１１ｂの空間位置を示すリアルタイム・データを含むよう継続的に更新される。上述したのと同様にして、解析ユニット１２ａは、雇用主通信機装置１１ａのうちの一つからの、ユーザー・プロファイル（ボックス８０ａで表される）、通信機位置データベース１６ａに保存されている動的位置、ボックス８２ａによって表される固定位置および解析ユニット１２ａに入力された仕事割り当ての間の比較をする。システム８ａはさらに、システム８ａ内で伝達されている情報の種類を描くために雇用主システム４０ａおよび従業員システム４２ａとしてさらに記述されうる。
【００５３】
たとえば、雇用主は雇用主通信機装置１１ａを使って、たとえば仕事の位置、仕事のスケジュール、技能セット要件、人格的な特徴およびボックス８４ａで表されるその他の基準といった、従業員情報および／または基準を従業員のユーザー・プロファイルに入力する。さらに、雇用主は、たとえば仕事の位置、仕事のスケジュール、技能セット要件、人格的な特徴およびその他の基準といった、作業または仕事割り当て基準を解析ユニット１２に入力する。雇用主は上記の基準を雇用主通信機装置１１ａの一つに入力する。雇用主通信機装置１１ａはたとえば、コンピュータ、携帯情報端末（PDA）、携帯電話、携帯電話／PDAの複合またはその後従業員情報および／または仕事割り当て基準を解析ユニット１２ａに送信しうる他の任意の装置でありうる。解析ユニット１２ａはたとえば、コンピュータまたはウェブサーバーでありうる。解析ユニット１２ａは、従業員ユーザー・プロファイル基準を作業割り当て基準と突き合わせて、少なくとも一つの個別化された作業割り当てのデータセットを生成する。
【００５４】
個別化されたリアルタイム作業割り当ては、作業割り当て基準と従業員ユーザー・プロファイルとの前記突き合わせに基づいて従業員通信機装置１１ｂの一つに送信される。前記データセットは、雇用主が該データセットを吟味して作業割り当てを特定の従業員に割り当てることができるよう、雇用主通信機装置１１ａに送信されることができる。あるいはまた、解析ユニット１２ａが自動的に作業割り当てを特定の従業員に割り当て、それにより雇用主の介入なしに作業割り当てを従業員の通信機装置１１ｂに送信することもできる。従業員の通信機装置１１ｂはたとえば、PDA、携帯電話、複合携帯電話／PDA、ポケットベルまたは解析ユニット１２ａまたは雇用主が情報を従業員に通信しうる他の任意の装置でありうる。
【００５５】
各従業員についてのユーザー・プロファイルは、たとえば、人格、販売スタイル、服装、技能セット、位置、スケジュールまたはその特定の従業員に関係する他の任意の性質または特徴といった従業員の特徴に関する情報を含む。さらに、ユーザー・プロファイルは好ましくは、雇用主通信機装置１１ａおよび従業員通信機装置１１ｂの両方によってアクセス可能である。しかしながら、雇用主通信機装置１１ａがユーザー・プロファイル全体へのアクセスを有するのに対して、従業員通信装置１１ｂはユーザー・プロファイルの部分集合にしかアクセスをもたないことが好ましい。それにより雇用主システム４０ａによってアクセス可能なユーザー・プロファイルは従業員システム４２ａによってアクセス可能なユーザー・プロファイルとは違っていてもよい。
【００５６】
たとえば、雇用主システム４０ａによってアクセス可能なユーザー・プロファイルは、他の従業員に対しては秘されたまま、あるいは未知のままの、ある特定の従業員に関係する特徴を含んでいてもよい。たとえば、従業員は自分のユーザー・プロファイルに保存された、位置、スケジュール、技能セットおよびボックス８６ａによって表されるその他の基準といった情報へのアクセスを有していてもよく、必要に応じて自分のユーザー・プロファイルへの情報を更新するためのアクセスを与えられてもよい。さらに、上述の従業員アクセス可能な情報に加えて、雇用主は、人格、販売スタイル、服装および技能セットといった従業員の特徴を入力し、これにアクセスするために従業員ユーザー・プロファイルへのアクセスを有していてもよく、必要に応じてこの情報を更新するためのアクセスが与えられてもよい。
【００５７】
もう一つの実施形態では、システム８ａは、商品の搬送者のリアルタイムの位置に基づいて商品を配送するために使用される。より具体的には、システム８ａは、オンラインで注文された製品の購入者の便宜をはかり、商品を購入者の指定した地点に迅速かつ効率的に配送することができる。
【００５８】
解析ユニット１２ａは、従業員ユーザー・プロファイルおよび位置がロードされている。解析ユニット１２ａは、購入者の位置の近くに位置している配送人員（従業員）を同定する。従業員のユーザー・プロファイルの一部は、その従業員の配送トラック上の商品の目録を含むことができる。従業員は、自分の配送トラック上に位置している目録がどんなものか知る必要はなく、自分の配送目的地のみでよい。
【００５９】
たとえば、購入者はオンラインで新鮮な農産物を注文することがありうる。どの配送人員が指定された商品を購入者に効率的に配送しうるかを解析ユニット１２ａが判別できるよう、雇用主は購入者の注文（作業割り当て）を雇用主通信機装置１１ａに入力しうる（雇用主通信機装置１１ａが作業割り当てを解析ユニット１２ａに入力する）。また、オンラインで注文することにより、購入者は自分の注文を解析ユニット１２ａに直接送りうる。それにより、解析ユニット１２ａが、商品を購入者に配送する適切な配送人員を自動的に決定し、その割り当てをその配送人員に従業員の通信機装置１１ｂを介して送るようにできる。さらに、雇用主は、従業員の配送トラック上に位置している精密な目録、配送される目録およびその配送トラックから盗まれるかもしれない任意の目録を追跡およびモニタリングするために、ユーザー・プロファイルを更新する。
【００６０】
さらにもう一つの実施形態では、システム８ａは、新しい顧客を引き入れるために営業員を外回りに送り出すために使うことができる。たとえば、会社は販売見込み先（sales  lead）から問い合わせを受けることがありうる。該見込み先についての情報が、雇用主通信機装置１１ａからの仕事割り当てとして解析ユニット１２ａに入力される。すると解析ユニット１２ａは、営業員のユーザー・プロファイルに保存されている情報に基づいて、その見込み先に送る適切な営業員を決定する。営業員のユーザー・プロファイルは、営業員の位置、人格特徴、服装スタイルまたは見込み先に送るのに適切でありうる営業員を決定するために使用されるその他の属性といった情報を含みうる。
【実施例２】
【００６１】
図４には、本発明に基づいて構築されたもう一つの助言システム８ｂを示している。助言システム８ｂは放送ネットワーク１０ｂを含む。放送ネットワーク１０ｂは、構成および機能において、上で論じた放送ネットワーク１０と同様であるが、放送ネットワーク１０ｂは、所定のユーザーに関連付けられた地理的領域に特定的に関連付けられた気象および環境センサー４８ｂを有する個別化されたセンサー・ネットワーク４８ａを含んでいる点が異なっている。
【００６２】
たとえば、気象および環境データ収集サイトは、世界の広がりつつある領域において途方もなくまばらである。アイオワ州には国立気象サービスの最低数のデータ収集ポイントが存在している。気象データの乏しさは農業者の妨げになる。農業者が作物について決定的な決断をするための気象データ点の密なグリッドが存在しないからである。たとえば、土壌温度データ、作物水分（crop  moisture）データおよび降水確率データが手にはいらないときに、どの160エーカーの土地区画に施肥するかがどのようにしてわかろうか。
【００６３】
センサー・ネットワーク４８ａは、一時的または恒久的なデータ収集センサー４８ｂを含む。これらのセンサーは、システム８ｂの加入者またはユーザーの土地の、たとえば10エーカーないし40エーカーのグリッド上に設置されうる。各センサー４８ｂは、たとえば半径5マイルまたは20マイルといった該センサーに関連付けられた一意的な空間範囲を有しうる。各センサー４８ｂに関連付けられた空間範囲はユーザーによって選択されることができ、センサー４８ｂの種類および目的ならびにセンサー・ネットワーク４８ａの密度によって指定されることができる。たとえば、ユーザーが、施肥のスケジュールを立てるために土壌水分に関心がある場合、選ばれたセンサー４８ｂに関連付けられる空間範囲はたとえば375フィートと設定されうる。もう一つの例では、ユーザーは、地面に種を蒔くために土壌温度に関心があることがあり、選択されたセンサー４８ｂに関連付けられる所望の空間範囲はたとえば2000フィートでありうる。システム８ｂのユーザーは、上で論じたようなユーザー・プロファイルを含むが、そのユーザー・プロファイルは、たとえばそのユーザーの土地の上または近くに設置された、そのユーザーに関連付けられたセンサー４８ｂに関する情報を補足されている。サイト固有の気象情報をユーザーのために生成する際、気象解析ユニット１２ｂがより詳細な情報を使用できるよう、センサー４８ｂはサイト固有の個別化された情報を気象解析ユニット１２ｂに送信する。
【００６４】
センサー４８ｂは、天気を予報すること、現在の気象条件を送信すること、現在の環境条件を送信することおよび／または環境条件を予報することために使用可能な情報を生成するいかなる種類のセンサーであることもできる。たとえば、センサー４８ｂは、これに限られないが、気温、湿度、降水量、日照、風速と風向、土壌温度、土壌水分および／または土壌中の化学成分のようなパラメータを採取または記録するために使用されることができる。
【００６５】
たとえば、ユーザーは、温度、水分および／または土壌条件などといった、ユーザーがセンサー・ネットワーク４８ａにモニタリングしてもらいたい情報の種類を、自分のユーザー・プロファイルに入力しうる。気象解析ユニット１２ｂは、センサー・ネットワーク４８ａからセンサー・データを受信して、ユーザーのユーザー・プロファイルに入力された情報に基づいて、ユーザーの通信機装置５０ｂを介してユーザーに情報を送信する。ユーザーは、自分のユーザー・プロファイルを修正することによって、任意の所与の時間における特定の領域を監視するために特定のセンサーを選んでもよい。
【００６６】
さらに、システム８ｂは、該システム８ｂのユーザーに送信される気象情報を向上させるため、リアルタイムの道路条件情報を気象解析ユニット１２ｂに送信するために使われてもよい。センサー４８ｂは電池または太陽電源といった自前の電源を含むことができるが、センサー４８ｂは独自の電源を有している装置上に位置されることが好ましい。たとえば、一時的または恒久的な単数または複数のセンサー４８ｂは、道路に沿ったさまざまな位置に設置されうる。たとえば、乗り物、道路または道路脇、ビルボード〔広告掲示板〕、給油ポンプ（gas  pump）、携帯電話タワーまたは道路もしくは線路脇の標識、たとえばUPSおよび／またはFedExのような配送車、あるいは街灯などにである。センサー４８ｂが道路に設置されるなら、コンクリートまたはアスファルトの中に設置されてもよい。道路脇に設置されるなら、センサー４８はたとえば溝の中に設置されてもよい。センサー４８ｂはたとえば、道路、道路脇の標識に関連する、街灯の、またはたとえばUPSおよび／またはFedExのような配送車の、または鉄道車両上の、水分、温度あるいはその他の任意の気象または環境条件を検出しうる。あるいはまた、センサー４８ｂは特定の道路または線路に関連付けられた交通条件または他の任意の条件を検出するために使用されてもよい。
【００６７】
たとえば、道路または線路に沿った特定の領域についての条件を判別するためのセンサー・ネットワーク４８ａを作り出すために、各センサー４８ｂは、最近接センサーから100フィート離して設置されてもよい。さらに、センサー４８ｂは、さまざまな携帯電話タワーに設置されてもよい。それにより、そのタワーに関連付けられた特定の携帯電話システムのユーザーがシステム８ｂを使ってさまざまな条件にアクセスしうる。
【００６８】
気象センサー４８ａのそれぞれは、そのような気象センサーの現在位置を決定するためにGPSシステムのようなシステムを含んでいることもできる。それにより、気象センサーの現在位置が気象解析ユニット１２ｂに送信される。
【００６９】
当業者はシステム８ｂの数多くの用途を認識するであろう。たとえば、センサー・データが道路または線路に沿って移動する乗り物上に位置されているセンサー４８ａによって収集されるとき、気象解析ユニット１２ｂはそのような気象情報を、そのセンサー・データが収集されているところのごく近くに位置する通信機装置１１ｂに送信できる。こうして、加入者から5マイルのところにあるFederal  Expressのトラックが位置しているとすると、そのFederal  Expressトラック上のセンサーから収集された情報がその加入者に送信されることができる。
【００７０】
以上の記述から、本発明が、ここに言及されているもののほか本発明に内在的なものも含めて目的を実行し、利点を達成するために好適に適応されていることは明らかである。本発明の現在のところ好ましい実施形態についてこの開示の目的のために記載してきたが、数多くの変更がなされうることはすぐ理解されるであろう。そうした変更は当業者にはすぐ思いつくものであり、開示された本発明の精神の中で達成されるものである。
【００７１】
いくつかの態様を記載しておく。
〔態様１〕
ブロードキャスト・ネットワークから遠隔に位置する複数の従業員に個別化されたリアルタイムの仕事割り当てを送信する方法であって：
解析ユニットに従業員ユーザー・プロファイル基準を入力する段階と；
前記解析ユニットに仕事割り当て基準を入力する段階と；
前記従業員ユーザー・プロファイルを前記仕事割り当て基準と突き合わせて少なくとも一つの個別化された仕事割り当てのデータセットを生成する段階と；
前記仕事割り当て基準と前記従業員ユーザー・プロファイルとの一致に基づいて前記個別化された仕事割り当てを従業員に送信する段階とを有する方法。
〔態様２〕
前記従業員ユーザー・プロファイル基準が雇用主通信機装置に入力される、態様１記載の方法。
〔態様３〕
前記雇用主通信機装置がコンピュータ、携帯情報端末、携帯電話および複合型携帯情報端末／携帯電話よりなる群から選択される、態様２記載の方法。
〔態様４〕
前記データセットが、従業員ユーザー・プロファイル基準および仕事割り当て基準の少なくとも二つを含む態様１記載の方法であって：
前記従業員ユーザー・プロファイルを前記仕事割り当て基準と突き合わせた結果に基づいて、雇用主が従業員に仕事割り当てを割り当てる段階をさらに有する、方法。
〔態様５〕
前記データセットが、従業員ユーザー・プロファイル基準および仕事割り当て基準の少なくとも二つを含む態様１記載の方法であって：
前記従業員ユーザー・プロファイルを前記仕事割り当て基準と突き合わせた結果に基づいて、前記解析ユニットが従業員に仕事割り当てを割り当てる段階をさらに有する、方法。
〔態様６〕
個別化された仕事割り当てが従業員通信機装置を介して従業員に伝送される、態様１記載の方法。
〔態様７〕
前記従業員通信機装置が携帯情報端末、携帯電話、複合型携帯情報端末／携帯電話およびポケットベルよりなる群から選択される、態様６記載の方法。
〔態様８〕
個別化されたリアルタイムの気象および環境データを生成する方法であって：
少なくとも二つのユーザー・プロファイルが通信機装置、指定された位置および該指定された位置に関連付けられた所定の気象および環境センサーの識別情報を同定する複数のユーザー・プロファイルを受け取る段階と；
気象および環境情報データベースならびに前記所定の気象および環境センサーからのセンサー・データを解析して個別化された気象および環境出力信号を生成する段階と；
前記気象および環境出力信号を前記ユーザー・プロファイルで同定されている通信機装置に送信する段階とを有する方法。
〔態様９〕
前記複数のユーザー・プロファイルを受け取る段階が、空間範囲識別子を受け取り、該空間範囲識別子を前記所定の気象および環境センサーのうちの一つと関連付けることとしてさらに定義される、態様８記載の方法。
〔態様１０〕
前記複数のユーザー・プロファイルを受け取る段階が、前記所定の気象および環境センサーによってモニタリングされるべき気象および環境情報の種類を示す環境識別子を受け取ることとしてさらに定義される、態様８記載の方法。
〔態様１１〕
リアルタイムの道路条件情報を収集する方法であって：
道路に沿ったさまざまな位置に気象および環境センサーを取り付ける段階と；
気象解析ユニットによって、前記センサーから気象または環境条件情報を受け取る段階と；
少なくとも二つのユーザー・プロファイルが通信機装置を同定する複数のユーザー・プロファイルを受け取る段階と；
前記センサーから受け取られた前記気象または環境条件情報を解析して、個別化された気象および環境出力信号を生成する段階と；
前記気象および環境出力信号を前記ユーザー・プロファイルで同定されている通信機装置に送信する段階とを有する方法。
〔態様１２〕
前記気象および環境センサーを取り付ける段階が、前記気象および環境センサーの少なくとも一つを乗り物に取り付けることとしてさらに定義される、態様１１記載の方法。
〔態様１３〕
前記気象および環境センサーを取り付ける段階が、前記気象および環境センサーの少なくとも一つをビルボードに取り付けることとしてさらに定義される、態様１１または１２に記載の方法。
〔態様１４〕
前記気象および環境センサーを取り付ける段階が、前記気象および環境センサーの少なくとも一つを給油ポンプに取り付けることとしてさらに定義される、態様１１ないし１３のうちいずれか一項記載の方法。
〔態様１５〕
前記気象および環境センサーを取り付ける段階が、前記気象および環境センサーの少なくとも一つを携帯電話タワーに取り付けることとしてさらに定義される、態様１１ないし１４のうちいずれか一項記載の方法。
〔態様１６〕
ブロードキャスト・ネットワークから個別化されたリアルタイムの仕事割り当てを送信する方法であって：
複数の従業員の位置を同定する位置情報を解析ユニットに受け取る段階と；
前記解析ユニットに、意図される宛先の識別子を含む仕事割り当て基準を入力する段階と；
前記位置情報を前記仕事割り当て基準と突き合わせて少なくとも一つの個別化された仕事割り当てのデータセットを生成する段階と；
前記位置情報と前記仕事割り当て基準との一致に基づいて前記個別化された仕事割り当てを従業員に送信する段階とを有する方法。
【図１】
2014056582.tif 000003
【図２】
2014056582.tif 000004
【図３】
2014056582.tif 000005
【図４】
2014056582.tif 000006